Podtech/llm-jp-corpus-v4-ja_patent huggingface dataset:
(57)【要約】【課題】  ポリ乳酸樹脂の有する優れた光線透過率を維持したまま耐衝撃性が改良されたポリ乳酸樹脂組成物を提供する。【解決手段】  ポリ乳酸樹脂（ａ）にポリメチルペンテン樹脂（ｂ）を添加し、このポリ乳酸樹脂とポリメチルペンテン樹脂との配合比（ａ）／（ｂ）を９０／１０〜２０／８０とする。【選択図】なし【特許請求の範囲】
【請求項１】
ポリ乳酸樹脂（ａ）とポリメチルベンテン樹脂（ｂ）とを含有し、前記（ａ）と（ｂ）との配合比（ａ）／（ｂ）が、９０／１０〜２０／８０であることを特徴とするポリ乳酸樹脂組成物。
【発明の詳細な説明】
【技術分野】
【０００１】
本発明は、耐衝撃性の改善されたポリ乳酸樹脂組成物に関する。
【背景技術】
【０００２】
ポリ乳酸樹脂は、とうもろこしなどの植物から得られる樹脂であり、従来から用いられているポリスチレン、ポリプロピレン、ポリ塩化ビニル、ポリエチレンなどの石油系樹脂と異なり、石油資源枯渇防止、炭酸ガス排出抑制などの効果があるとされ、石油系樹脂に替わる材料として期待されている。
【０００３】
しかし、ポリ乳酸樹脂は耐衝撃性に劣るため、石油系樹脂に替わる材料とは成りにくいという問題点がある。そこでこの問題を解消するための手法として、ポリ乳酸樹脂にゴム成分を添加し耐衝撃性を向上した例が報告されている（特許文献１参照）。
【特許文献１】特開２００３−１８３４８８
【発明の開示】
【発明が解決しようとする課題】
【０００４】
上記の特許文献で提案されている手法では、ポリ乳酸樹脂に耐衝撃性が付与されるものの、ポリ乳酸樹脂の優れた光線透過率を保つことができず使用できる用途も限定される。
【０００５】
本発明は、ポリ乳酸樹脂の有する優れた光線透過率を維持したまま、耐衝撃性が改良されたポリ乳酸樹脂組成物を提供することを目的とする。
【課題を解決するための手段】
【０００６】
本発明者は、ポリ乳酸樹脂にポリメチルベンテン樹脂を添加することにより上記目的を達成できることを見出したものである。つまり、本発明は、ポリ乳酸樹脂（ａ）とポリメチルベンテン樹脂（ｂ）とを含有し、前記（ａ）と（ｂ）との配合比（ａ）／（ｂ）が、９０／１０〜２０／８０であることを特徴とするポリ乳酸樹脂組成物を要旨とする。
【発明の効果】
【０００７】
ポリ乳酸樹脂にポリメチルベンテン樹脂を所定量添加することにより、ポリ乳酸樹脂の光線透過率は維持されたまま、耐衝撃性が改善されるという効果を奏する。
【発明を実施するための最良の形態】
【０００８】
本発明に用いられるポリ乳酸樹脂としては、Ｌ−乳酸、Ｄ−乳酸、ＬＤ−乳酸またはこれらの混合物を縮合脱水して得られるか、もしくは乳酸のラクチドを開環重合して得られたものが採用され、そのＬ−ポリ乳酸とＤ−ポリ乳酸の含有比率について制限はない。
【０００９】
本発明のポリ乳酸樹脂組成物において、ポリ乳酸樹脂（ａ）とポリメチルベンテン樹脂（ｂ）との配合比は９０／１０〜２０／８０の範囲である必要がある。ポリメチルベンテン樹脂の比率が１０％未満では十分な耐衝撃性が得られず、また逆に８０％を超えることは植物由来物質であるポリ乳酸樹脂を利用し石油資源節約など環境へ配慮するという観点からは好ましくない。
【００１０】
上記組成物には本発明の特性を損なわない範囲で各種可塑剤、安定剤、難燃剤、離型剤、顔料、染料、フィラー類、その他添加剤を目的や用途に応じて使用することができる。
【実施例】
【００１１】
ポリ乳酸樹脂として、商品名：レイシアＨ４００（三井化学株式会社製、重量平均分子量が２０万、Ｄ体の含有量が２％であるポリＬ−乳酸樹脂）を、またポリメチルベンテン樹脂として、商品名：ＴＰＸ  ＭＸ００２（三井化学株式会社製）を用意した。
【００１２】
＜実施例１〜３、比較例１＞
上記のポリ乳酸樹脂およびポリメチルベンテン樹脂を表１に示す配合比で混合し、溶融温度２４０℃、金型温度３０℃、冷却時間２５秒の条件で射出成形することにより試験片を作成し、次の試験を行った。その結果を表１に併記する。
耐衝撃性：ＪＩＳ  Ｋ７１１０に準じてアイゾット衝撃強度（ノッチ有り）を測定した。
光線透過率：ＪＩＳ  Ｋ ７１３６に準じて全光線透過率を測定した。
【００１３】
＜参考例＞
ポリ乳酸樹脂のみで上記同様に射出成形をし試験を行った。その結果も表１に示す。
【００１４】
【表１】
2006233109.tif 000002
【００１５】
表１からわかるように、本発明に係る実施例１〜３においては、ポリ乳酸樹脂の光線透過率が維持されて衝撃強度が向上されている。一方、ポリメチルベンテン樹脂が本発明の技術範囲より少ない量しか配合されていない比較例１においては、衝撃強度の向上がみられないことがわかる。
(57)【要約】【課題】製造が容易で、かつ、模造が困難なタグ等に好適に使用される判別体の提供。【解決手段】  蓄光材料が含有されるゴム組成物よりなる判別体。【選択図】  図１
2006233165.tif 000002
【特許請求の範囲】
【請求項１】
蓄光材料が含有されるゴム組成物よりなる判別体。
【発明の詳細な説明】
【技術分野】
【０００１】  この発明はタグ等として使用される判別体に関する。
【背景技術】
【０００２】  最近では模造商品が多く出回り、また、農産物、畜産物の生産地が虚偽表示される問題が多々発生しており、これらに対応してその模造や虚偽表示をＩＣタグ等を用いて判別することが行なわれている。その判別は何らかの暗号情報データをタグ等の判別体に入力し、それを読み取ることで行なっている。
【発明の開示】
【発明が解決しようとする課題】
【０００３】  しかしながら上記従来の方法では、暗号情報データが解読されることでタグ等自身が模造される恐れがあり、解読されないような複雑な暗号情報データを作製入力するのには高度な技術が必要となり製造に非常に手間がかかる問題点があった。【０００４】  この発明は上記の事情に鑑みて行なったもので、製造が容易で、かつ、模造が困難なタグ等に好適に使用される判別体を提供することを目的とする。
【課題を解決するための手段】
【０００５】  上記目的を達成するために、この発明では、蓄光材料が含有されるゴム組成物よりなる判別体を提供する。【０００６】  上記構成の判別体は、蓄光材料を含有することでそれが励起されて発光し、この発光スペクトルを検出することで判別が可能となる。【０００７】  この発明では、従来暗所において安全警告表示や誘導指示表示の発光のためのみに使用された蓄光材料の発光スペクトルを判別に用いるものである。したがって、その発光は発光スペクトルが検出されれば十分であり、通常目視により確認できない程度の度合いとされる。目視により発光が確認できないことで、判別体は外面状はその判別機能が不明なものとなり、また、仮に蓄光材料の発光スペクトルによる判別機能を持つものと認識されても、次の理由により模造品の作製はきわめて困難なものとなる。【０００８】  すなわち、ゴム材の製造には架橋剤による架橋工程が必須であり、この架橋によりゴム組成物におけるそれぞれの材料成分の分子構造が著しく変化し、これにより含有される蓄光材料の組成が不明なものとなるからである。したがって、判別体に含有される蓄光材料の組成を知ることはきわめて困難となり、その結果模造品作製は容易には行なえない。これにより、容易に製造できるものでありながら模造の恐れの無い安全性の高い判別体が得られる。【０００９】  判別体を得る際に用いる蓄光材料、ゴム材料、架橋剤は汎用されるものにおいて適宜のものが使用可能であり、それぞれにおいて複数のものを組み合わせ使用することも可能である。【００１０】  蓄光材料の含有割合は、発光スペクトルの検出が行なえるためにはゴム材料１００重量部に対して０．１重量部以上とされ、その含有割合の上限はゴム材料１００重量部に対して２００重量部とされる。この上限値を越えると蓄光材料の輝度が飽和して蓄光材料が無駄となるとともに、ゴム物性が損なわれる。また、用いられる蓄光材料の粒子形は１〜１００μ程度が望ましく、１μより小さくなると輝度が低下し、１００μを越えるとゴム物性が損なわれる。【００１１】  また、判別体にはシリカ、タルク、クレイ、炭酸カルシュウム等の白色フィラーが要求物性に応じて適宜通常の割合で配合使用される。光透過性を低下させるカーボンブラック等の黒色のフィラーや蓄光材料の発光輝度を損ねる重金属類よりなる配合剤の使用は好ましくない。【００１２】  この発明の判別体はタグ等の商品や製品に付設使用されるものだけでなく、タイヤ等のゴム物品よりなる商品や製品そのものとして形成されてもよく、その場合はタグ等を必要とすることなく商品、製品の模造判定が直接行なえるようになる。
【発明の効果】
【００１３】  この発明によれば、容易に製造できるものでありながら模造の恐れの無い安全性が高くタグ等として好適に使用される判別体が得られる。
【発明を実施するための最良の形態】
【００１４】  図１はこの発明の判別体としてのタグ１であり、蓄光材料が含有されるゴム組成物よりなり、表面には販売会社名２等が成形付設され、商品にその裏面の粘着層２において貼り付けられて用いられる。【００１５】  上記タグ１の製造例を説明する。１種類以上の天然ゴム、もしくは合成ゴム材料１００重量部に対してストロンチウム・アルミネート系酸化物よりなる蓄光材料粒子を０．５重量部、白色フィラー（シリカ）を５重量部を配合し、これに架橋剤を５重量部配合して架橋することによりゴム組成物よりなるタグ１を得る。【００１６】  上記のようにして得られたタグ１は光を照射することで含有される蓄光材料が励起されて発光（目視はできない）し、その発光スペクトルが判別要素として用いられる。【００１７】  図２、図３は２種類の蓄光材料（イージーブライト社製の蓄光材料ＥＺＣＧ、ＥＺＣＢ）のそれぞれの発光スペクトル例を示す。上記のように発光スペクトルは蓄光材料特有のものであり、特定の蓄光材料を含有させることでタグ１は独自の発光スペクトルを持つ光を発するものとなって判別が可能となる。【００１８】  図４は判別装置１０を示しタグ１が付された商品Ｇが搬送されるコンベア１１上に設けられる。判別装置１０はランプ１２と判別センサ１３と報知部１４とを備え、コンベア１１上を送られてくる商品Ｇにランプ１２からの光が照射されることでタグ１に含有される蓄光材料が発光し、この発光スペクトルが判別センサ１３で検出されるとともに予め記憶される商品Ｇの発光スペクトルと比較され、模造であって発光スペクトルが一致しない場合には報知部１４でその旨の報知が行なわれる。また、異なる蓄光材料が含有される複数種類のタグ１それぞれを異なる複数種類の商品Ｇそれぞれに付することで、商品の選別を行なうことが可能となる。
【図面の簡単な説明】
【図１】  この発明の判別体としてのタグの実施形態の外観斜視図
【図２】  蓄光材料の発光スペクトル図
【図３】  蓄光材料の発光スペクトル図
【図４】  判別装置の実施形態の構成図
【符号の説明】
１    タグ（判別体）
【図１】
2006233165.tif 000003
【図２】
2006233165.tif 000004
【図３】
2006233165.tif 000005
【図４】
2006233165.tif 000006
(57)【要約】      （修正有）【課題】葺設状態における屋根下地との間の空気の換気性を良好にする。【解決手段】瓦本体１の頭側裏面に換気溝５を設けると共に、該換気溝５を頭側重合部の境界線を跨ぐ様に形成した換気瓦を葺設して、葺設状態における下方の換気瓦の尻側水返し４が上方の換気瓦の裏面に密着しても、換気溝５の頭側端部が外部空間側に、尻側端部が瓦裏空間Ａに夫々位置するため、外部空間と瓦裏空間Ａを連通させる通気経路が形成され、完成した瓦屋根に換気性能が具備される。【選択図】図５
2006233526.tif 000002
【特許請求の範囲】
【請求項１】
瓦本体の裏面に換気溝を設けると共に、該換気溝を瓦本体における頭側重合部の境界線
を跨ぐ様に形成したことを特徴とする換気瓦。
【請求項２】
瓦本体を下方湾曲状の平瓦部と桟山部により構成し、換気溝を平瓦部の最下部の側方に
、中央側より外側且つ尻側へ斜方向に形成したことを特徴とする請求項１記載の換気瓦。
【発明の詳細な説明】
【技術分野】
【０００１】
本発明は、葺設状態における屋根下地との間の空気の換気を良好にする様にした換気瓦
に関する。
【背景技術】
【０００２】
従来の屋根瓦にあっては、葺設状態において桁行方向及び流れ方向に隣接する屋根瓦ど
うしが略密着状態になって、雨水の侵入を防止出来る様に成っている（例えば、非特許文
献１参照）。
【０００３】
【非特許文献１】“三州瓦Ｗｅｂ”、[online]、愛知県陶器瓦工業組合、〔平成１７年２月５日検索〕、インターネット〈URL: http://www.kawara.gr.jp/top.html>（三州瓦ＣＡＤデータ集、部分詳細図ＣＡＤデータ『和形−木造』の「軒部１」〜「軒部３」）
【発明の開示】
【発明が解決しようとする課題】
【０００４】
しかし、屋根瓦は雨水、露等で吸水する性質があり、老朽化防止のためには早く乾燥さ
せねばならないが、上記従来技術にあっては、葺設状態における屋根下地との間、即ち瓦
裏空間の空気の換気性が著しく低くなることから、屋根瓦の裏面に結露が発生し易く、而
も雨水を吸水した屋根瓦の乾燥に長期間を要してしまうため、屋根瓦及び屋根下地が早期
に老朽化してしまうなど、解決せねばならない課題があった。
【課題を解決するための手段】
【０００５】
本発明は、上記従来技術に基づく、葺設状態における屋根下地との間の空気の換気性に
劣る課題に鑑み、瓦本体の頭側裏面に換気溝を設けると共に、該換気溝を頭側重合部の境
界線を跨ぐ様に形成することによって、葺設状態における下方の換気瓦の尻側水返しが上
方の換気瓦の裏面に密着したとしても、換気溝の頭側端部が外部空間側に、尻側端部が瓦
裏空間に夫々位置して、瓦裏空間と外部空間を連通する通気経路を形成し、完成した瓦屋
根に換気性能を具備させる様にして、上記課題を解決する。
【発明の効果】
【０００６】
要するに本発明は、瓦本体の裏面に換気溝を設けると共に、該換気溝を瓦本体における
頭側重合部の境界線を跨ぐ様に形成したので、かかる換気瓦から発せられる湿気を含んだ
空気が瓦裏空間に充満しても、換気溝により形成された通気経路を経て外部排出すること
が出来るため、完璧な換気性能を具備した瓦屋根を構築することが出来、よって葺設状態
での屋根瓦裏面に発生する結露を防止出来、屋根瓦、屋根下地材の早期老朽化を防止する
ことが出来る。
又、換気溝により通気経路を形成することにより、尻側水返しに手を加えずに換気機能
を具備させることが出来るため、尻側水返しによる雨水の侵入防止機能を損なわずに換気
性能を具備した瓦屋根を構築することが出来る。
【０００７】
瓦裏空間は桟山部下方側の部分が広く、当該部分に瓦裏空間内への流入空気が流れ込み
易いことから、瓦本体を下方湾曲状の平瓦部と桟山部により構成し、換気溝を平瓦部の最
下部の側方に、中央側より外側且つ尻側へ斜め方向に形成したので、上記部分に流入空気
を滞りなく誘導することか出来るため、換気機能を更に向上させることが出来る等その実
用的効果甚だ大である。
【発明を実施するための最良の形態】
【０００８】
以下本発明の一実施例を図面に基づき説明する。
図１〜３は、本発明に係る換気瓦の平面図、底面図及び正面図であり、図４は、図１の
換気瓦の葺設状態を示す平面図であり、図５は、図４のＸ−Ｘ断面図である。
本発明に係る換気瓦にあっては、図１〜３に示す様に、瓦本体１を下方湾曲状の平瓦部
２と桟山部３により構成し、瓦本体１の尻側に水返し４を形成している。
【０００９】
瓦本体１の裏面に２本の換気溝５、５を設けると共に、該換気溝５、５を瓦本体におけ
る頭側重合部６の境界線Ｌを跨ぐ様に形成している。即ち、換気溝５、５を、その頭側端
部が境界線Ｌより頭側に、尻側端部が境界線Ｌより尻側に夫々位置する様に形成している
。
【００１０】
又、上記２本の換気溝５、５を平瓦部２の最下部の両側方に、頭側より外側且つ尻側へ
斜め方向に形成するのが望ましいが、単に流れ方向に平行に形成しても良い。
又、地域毎に気候、風土が異なるため、その地域毎に必要な最低限の換気量を設定し、
それに基づき換気溝５の本数、幅寸法等を設定し製造する様にしている。
【００１１】
尚、上記実施例における換気瓦は和瓦であるが、かかる形態に限定せず、図示しないが
、平板瓦、Ｓ型瓦等であっても良い。
【００１２】
そして、上記換気瓦を葺設すると、葺設状態における下方の換気瓦の尻側水返し４が上
方の換気瓦の裏面に密着したとしても、換気溝５の頭側端部が外部空間側に、尻側端部が
瓦裏空間Ａ（葺設状態における屋根下地Ｗとの間の空間）に夫々位置するため、瓦裏空間
Ａと外部空間を連通させる通気経路が換気溝５により形成される。
【００１３】
又、換気瓦を頭側が下方に垂れ下がった形態として、葺設状態における下方の換気瓦の
表面に当接する様にしても完全に密着状態にはならないことから、そこには雨水等が侵入
可能な隙間が形成されてしまうが、尻側水返し４にはそれ以上内方への雨水等の侵入を防
止する機能があり、更にその機能を向上させるために上方の換気瓦の裏面に対し尻側水返
し４が略密着状態になるため、換気溝５があれば瓦裏空間Ａと外部空間を連通させる通気
経路が形成されることになる。
【図面の簡単な説明】
【００１４】
【図１】本発明に係る換気瓦の平面図である。
【図２】図１の底面図である。
【図３】図１の正面図である。
【図４】図１の換気瓦の葺設状態を示す平面図である。
【図５】図４のＸ−Ｘ断面図である。
【符号の説明】
【００１５】
１  瓦本体
２  平瓦部
３  桟山部
５  換気溝
６  頭側重合部
Ｌ  境界線
【図１】
2006233526.tif 000003
【図２】
2006233526.tif 000004
【図３】
2006233526.tif 000005
【図４】
2006233526.tif 000006
【図５】
2006233526.tif 000007
(57)【要約】【課題】軸の端面が露出しないカバー付きＥリングを提供する。【解決手段】軸１の端部１ａに装着される合成樹脂製のＥリング部分１１と，Ｅリング部分１１に一体に設けられていて，軸１の端面１ｂを覆う合成樹脂製のカバー部分１２とを有している。カバー付きＥリング１０を軸１の端部１ａに装着すると，軸１の端面１ｂがカバー部分１２で覆われることとなるので，軸の端面に人の手等が触れることがなくなる。カバー付きＥリング１０は，合成樹脂製であるので，断熱性に優れている。したがって，軸１が高温になってもカバー部分１２は低温であり，カバー部分１２に人の手等が触れても問題は生じない。【選択図】図１
2006233983.tif 000002
【特許請求の範囲】
【請求項１】
軸の端部に装着される合成樹脂製のＥリング部分と，このＥリング部分に一体に設けられていて，前記軸の端面を覆う合成樹脂製のカバー部分とを有することを特徴とするカバー付きＥリング。
【発明の詳細な説明】
【技術分野】
【０００１】
本発明は，Ｅリングに関するものである。
【背景技術】
【０００２】
従来，軸に装着される留め具としてＥリングが知られている。
【発明の開示】
【発明が解決しようとする課題】
【０００３】
従来のＥリングでは，これが装着された軸の端面が露出する。
露出した端面には，人の手等が触れることもあるため，軸が高温になり，その端面が露出していると望ましくない。例えば，画像形成装置の定着器近くの軸は高温になるので，その端面が露出していると望ましくない。
本発明の目的は，以上のような課題を解決し，軸の端面が露出しないカバー付きＥリングを提供することにある。
【課題を解決するための手段】
【０００４】
上記目的を達成するために本発明のカバー付きＥリングは，軸の端部に装着される合成樹脂製のＥリング部分と，このＥリング部分に一体に設けられていて，前記軸の端面を覆う合成樹脂製のカバー部分とを有することを特徴とする。
このような構成によれば，カバー付きＥリングを軸の端部に装着すると，軸の端面がカバー部分で覆われることとなるので，軸の端面に人の手等が触れることがなくなる。
このカバー付きＥリングは，合成樹脂製であるので，断熱性に優れている。したがって，軸が高温になってもカバー部分は低温であり，カバー部分に人の手等が触れても問題は生じない。
【発明を実施するための最良の形態】
【０００５】
以下，本発明に係るカバー付きＥリングの実施の形態について図面を参照して説明する。
図１は，本発明に係るカバー付きＥリングの一実施の形態を示す図で，（ａ）はカバー付きＥリングを軸端部に装着した状態の斜視図，（ｂ）は同じく正面図，（ｃ）はカバー付きＥリングの正面図，（ｄ）は同じく左側面図，（ｅ）は斜視図である。
【０００６】
図１に示すように，このカバー付きＥリング１０は，軸１の端部１ａに装着される合成樹脂製のＥリング部分１１と，このＥリング部分１１に一体に設けられていて，前記軸１の端面１ｂを覆う合成樹脂製のカバー部分１２とを有している。
図１に示す軸は，画像形成装置の定着器（図示せず）の近くに用いられる紙搬送ローラ１ｃの金属製駆動軸であり，その端部にギヤ１ｄを固定するための留め具としてカバー付きＥリング１０が用いられている。
【０００７】
カバー付きＥリング１０は，合成樹脂製の一体成型品であり，Ｅリング部分１１とカバー部分１２とは連結部１３で連結されている。
このカバー付きＥリング１０は，そのＥリング部分１１を通常のＥリングと同様にして軸１の端部１ａに装着する。装着された状態では，軸１の端面１ｂがカバー部分１２によって覆われる。
【０００８】
このようなカバー付きＥリング１０によれば，カバー付きＥリング１０を軸１の端部１ａに装着すると，軸１の端面１ｂがカバー部分１２で覆われることとなるので，軸１の端面１ｂに人の手等が触れることがなくなる。
このカバー付きＥリング１０は，合成樹脂製であるので，断熱性に優れている。したがって，軸１が高温になってもカバー部分１２は低温であり，カバー部分１２に人の手等が触れても問題は生じない。
【０００９】
以上，本発明の実施の形態について説明したが，本発明は上記の実施の形態に限定されるものではなく，本発明の要旨の範囲内において適宜変形実施可能である。
【図面の簡単な説明】
【００１０】
【図１】本発明に係るカバー付きＥリングの一実施の形態を示す図で，（ａ）はカバー付きＥリングを軸端部に装着した状態の斜視図，（ｂ）は同じく正面図，（ｃ）はカバー付きＥリングの正面図，（ｄ）は同じく左側面図，（ｅ）は斜視図。
【符号の説明】
【００１１】
１：軸，１ａ：端部，１ｂ：端面，１０：カバー付きＥリング，１１：Ｅリング部分，１２：カバー部分。
【図１】
2006233983.tif 000003
(57)【要約】      （修正有）【課題】製造コストが比較的安く、複数台発電機能を集合可能な発電システムを提供する。【解決手段】河川にモーターと水車を共通の回転軸で一体化した発電機を船状のケースに入れて水面上に浮かべ水車の上半分が水面上に出ていて、水中下の水車の羽が水流に押され回転することによって前記モーターの回転子が回転してモーターとの間の磁力線を切って発電し、その際スピンドルに沿って錘が上下に移動することによって流速の変動を調節して一定の電流を供給する発電システム。【選択図】図１
2006233950.tif 000002
【特許請求の範囲】
【請求項１】
モーターの上半分と密封した内部から食み出ている回転軸から放射状に伸び出ている羽も同じく前記回転軸の回転に伴って下半分の位置にあるとき水面下にあり、上半分の位置にあるときは水上の空間を回転する装置を河川の水面上に浮かぶようにケースを設置し、河川の水流に押されて前記羽が回転することによって前記モーター内部の回転子が回転して固定子との間の磁力線を切って発電する発電システム。
【請求項２】
前記（請求項１）の複数の発電システム装置を直列、並列に組み合わせて連結係留して河川の水流によって発電される電気を電線で必要場所に継続して供給するシステム。
【請求項３】
前記（請求項１）に記載したモーターの回転軸の延長した回転軸からベルトン水車風に放射状に伸びた羽をスピンドルとする自由にスライドする錘を嵌めて河川の水流の速度を一定に保つエンジンに於ける調速機の機能をもたせ、流速に応じて前記スピンドルに沿って前記錘が上下運動をすることによって自動的に発電の電流を一定に保つ機能を備えた発電システム。
【発明の詳細な説明】
【背景技術】
【０００１】従来の水力発電システムは、ダムや人工用水路等の高低を利用して位置エネルギーを電気エネルギーに転換するシステムの為、その設置に大きなコストや発電量に制約がある。【０００２】又、その他の発電システムは火力や原子力及び太陽や風力発電はＣＯ２の排出や公害を伴い、一方、自然力を主なエネルギー源に採り入れる場合は装置のコストと発電量との比が充分でない。
【当該技術】
【０００３】当該発電システムは、自然の河川を其の儘利用する為自然破壊を一切伴わず、早い水速の場所を選ぶことによって充分な発電量を常に確保することが可能であり更に、長距離と位置エネルギーを利用することが可能であり且つ、製造コストが比較的安い為、複数台発電機能を集合可能な発電システムです。
【０００４】当該発電システムは、ベルトン式水車風にモーターのハウジングの外部に伸び出た回転軸から放射状に設置した羽に沿って自由にスライドする錘を嵌めることによって河川の水流の遅速に影響されることなく自動的に一定の電気を供給可能なシステムです。
【０００５】当該発電システムは、モーターと水車を一体化して河川の水面に船上のケースに浮かべ一箇所に係留して水面の位置の変動に自動的に伴綱で対応される為、一度設置されると殆ど手間のかからない発電システムです。
【図面の簡単な説明】
【図１】河川利用モーター発電機の側面図の一例
【符号の説明】
１．モーター    ２．回転軸    ３．調速機の錘    ４．鉤    ５．羽    ６．回転軸封シール    ７．船状ケース    ８．伴綱    ９．水面    １０．地面
【図１】
2006233950.tif 000003
(57)【要約】      （修正有）【課題】波の上下動を利用した波力原動力発電装置を提供する。【解決手段】波の上下動を利用して動力を得る装置において、伝動歯付き歯軸上用３が上がる時、動力伝動歯車に５にかみ合い動力を伝え、下がるときは、伝動歯付き歯軸上用の歯はすべて歯軸の中に入り動力伝動歯車には作用しない。伝動歯付き歯軸下用２では、その動作は逆になる。動力伝動歯車により発電装置が駆動される。【選択図】図１
2006233948.tif 000002
【特許請求の範囲】
【請求項１】
水面に立つ波の上下動を（１）のア−ムにより（２）（３）の歯軸につたえ、（５）の歯車を回転させる発電装置。
【発明の詳細な説明】
【発明の詳細な説明】
【０００１】〔発明の属する技術〕この発明は、自然の水面に起きる波の上下動を利用して、この力を図〔１〕により回転の動力にかえて発電するものである。
【０００２】〔発明が解決しようとする課題〕ア−ム（１）を縦の歯の支点（４）が左右に滑走し、（２）（３）が垂直に上下動することにより回転の動力を得る。
【０００３】〔発明の実施の形態〕（３）の歯車が上がる時、歯は歯車（５）に噛み合い動力をつたえ、下がる時は、歯は全て（３）の歯軸の中に入り歯車に作用しない。（２）の歯軸については、その逆である。これによって（５）の歯車に回転の動力を与える。
【０００４】〔発明の効果〕この波の利用による動力は、装置の大きさによって限りなく大きな動力を得ることが出来る。又、歯車の比により回転の速度も高速なものが得られる。
【図面の簡単な説明】
【０００５】
【図１】本発明の動力伝動の側視図である。
【符号の説明】
【０００６】（１）はア−ム（２）は伝動歯付き歯軸下用（３）は伝動歯付き歯軸上用（４）は左右滑走動力支点（５）は動力伝動歯車（６）は動力源浮力材（７）はア−ム支点
【図１】
2006233948.tif 000003
(57)【要約】【課題】  容易に着脱可能な肌着を提供する。【解決手段】  胴体を通すための円筒形状の胴体部に、腕を通すための円筒形状の袖部を接続して構成された肌着における袖部２と胴体部７とが接続される部分に,当該肌着の着衣時に脇下に対応する位置に大きくマチ部を設けたので、袖部２と胴体部７との接続部が大径となり、胴体部７から袖部２へ、または袖部２から胴体部７へ腕をスムーズに挿通させることができ、肌着１の着脱が容易に行える。【選択図】              図１
2006233362.tif 000002
【特許請求の範囲】
【請求項１】
胴体を通すための円筒形状の胴体部に、腕を通すための円筒形状の袖部を接続して構成された肌着における胴体部と袖部との接続部において、
当該肌着の着衣時に脇下に対応する位置にマチ部を設け、前記胴体部と袖部との接続部を大径に形成したことを特徴とする肌着。
【請求項２】
前記胴体部は、前身頃と後身頃とより構成され、
前記後身頃は、前記前身頃よりも幅を広くしたことを特徴とする請求項１に記載の肌着。
【請求項３】
前記胴体部は、前身頃と後身頃とより構成され、
前記後身頃は、前記前身頃よりも着丈を長くしたことを特徴とする請求項１または２に記載の肌着。
【請求項４】
当該肌着は、かぶり式であることを特徴とする請求項１〜３のいずれか１に記載の肌着。
【請求項５】
当該肌着は、前開き式であることを特徴とする請求項１〜３のいずれか１に記載の肌着。
【発明の詳細な説明】
【技術分野】
【０００１】
本発明は、容易に着脱可能な肌着に関する。
【背景技術】
【０００２】
従来、一般的な肌着は、肌着の上から重ね着をすることを想定し、着衣時にだぶつきが生じることのないように、体に略整合した形状となっている。
【特許文献１】実開平０７−０２１７０４
【発明の開示】
【発明が解決しようとする課題】
【０００３】
しかしながら、このような従来の肌着においては、体にフィットさせる形状となっているため、脇下部分に余裕代がなく、着衣時に腕を袖部分に通しにくい。特に腕の動きが不自由な人や、寝た状態で着衣を行う場合には、より一層着衣が困難であるといった問題があった。
【課題を解決するための手段】
【０００４】
本発明はこのような問題点に鑑み、容易に着脱可能な肌着を提供することを目的とする。
そのため本発明は、胴体を通すための円筒形状の胴体部に、腕を通すための円筒形状の袖部を接続して構成された肌着における胴体部と袖部との接続部において、当該肌着の着衣時に脇下に対応する位置に大きくマチ部を設け、胴体部と袖部との接続部を大径に形成するものとした。
【０００５】
また、本発明は、胴体部を前身頃と後身頃とより構成し、後身頃を前身頃よりも幅を広くするものとした。
さらに、本発明は、胴体部を前身頃と後身頃とより構成し、後身頃を前身頃よりも着丈を長くするものとした。
また、本発明は、当該肌着をかぶり式であるものとした。
さらに、本発明は、当該肌着を前開き式であるものとした。
【発明を実施するための最良の形態】
【０００６】
次に本発明の実施の形態を実施例により説明する。
図１に、本実施例の全体構成を示し、図２に、肌着の上から上着を着用した場合のマチ部周囲を示す。
筒状に形成され、着衣時に胴体を通すための胴体部７と、筒状に形成され、着衣時に腕を通すための２つの袖部２とより肌着１が構成されている。
胴体部７は、前身頃３と後身頃４とより構成され、筒状の一方の開口端には首を通すための襟部６が設けられている。
襟部６は所定長さの合わせ部９を有する。また合わせ部９は前身頃３の中心線に沿って設けられ、ボタン１０によって閉じることができる。
【０００７】
胴体部７の、襟部６が設けられた側に対して反対側の下方開口端は、後身頃４の着丈を前身頃３の着丈よりも長くしてある。
この前身頃３および後身頃４の着丈を、前身頃３の着丈が通常の肌着の前身頃の着丈よりも若干短く、後身頃４の着丈は通常の肌着の後身頃の着丈よりも若干長くしてある。
また後身頃４は、前身頃３よりも横幅を広くしてある。
【０００８】
袖部２と胴体部７とが接続される部分の下方側、脇下に位置する部位にはマチ部５を設け、袖部２と胴体部７との接続部を大径にしてある。
またマチ部５は、図２に示すように肌着１の上から上着８を着用した場合、折れ曲がって脇に密着するので、だぶつくことがない。
【０００９】
なお本実施例においては、襟部６の合わせ部９を、前身頃３の中心線に沿って設けるものとしたが、これに限らず例えば図３に示す第１の変形例の肌着１Ａのように、襟部６Ａから図中右側のマチ部５に向けて斜めに合わせ部９Ａを設けることもできる。
またさらに、図４に示す第２の変形例の肌着１Ｂのように、襟部６Ｂの合わせ部９Ｂを前身頃３Ｂの下端まで伸ばし、前開き式の肌着とすることもできる。
また上記実施例、第１、２の変形例における合わせ部９、９Ａ、９Ｂは、ボタンに限らず、ホックや面ファスナー、ファスナー等によって閉じることもできる。
【００１０】
本発明によれば、袖部２と胴体部７とが接続される部分にマチ部５を大きく設けたので、袖部２と胴体部７との接続部が大径となり、胴体部７から袖部２へ、または袖部２から胴体部７へ、腕をスムーズに挿通させることができ、肌着１の着脱が容易に行える。
また、後身頃４の幅を前身頃３よりも広くしたので、背中が丸くなった人が肌着１を着衣した場合に、後身頃４が背中にフィットし易い。
【００１１】
さらに、後身頃４の着丈を前身頃３の着丈よりも長く、すなわち通常の肌着の後身頃の着丈よりも長くしたので、後身頃４によって十分に背中を覆うことができ、着衣時に背中が露出することがない。
前身頃３の着丈を後身頃４の着丈よりも短く、すなわち通常の肌着の前身頃の着丈よりも若干短くしたので、排泄時に前身頃３が邪魔になることがない。
また、かぶり式の肌着とすることにより、襟部６の合わせ部９を閉じるまたは開ける作業が少なくなり、すばやく肌着の着脱を行うことができる。
あるいは、前開き式の肌着とすることにより、頭から肌着をかぶる必要が無くなり楽に肌着の着脱を行うことができる。
【図面の簡単な説明】
【００１２】
【図１】本実施例の全体構成を示す図である。
【図２】肌着の上から上着を着用した場合のマチ部周囲を示す図である。
【図３】第１の変形例を示す図である。
【図４】第２の変形例を示す図である。
【符号の説明】
【００１３】
１    肌着
２    袖部
３    前身頃
４    後身頃
５    マチ部
６、６Ａ、６Ｂ    襟部
７    胴体部
８    上着
９、９Ａ、９Ｂ    合わせ部
１０    ボタン
【図１】
2006233362.tif 000003
【図２】
2006233362.tif 000004
【図３】
2006233362.tif 000005
【図４】
2006233362.tif 000006
(57)【要約】【課題】  ストッキング専用の手袋であり、爪の長い女性がストッキングを履く時、使用するもので、長さが短く、速手に装着することができると共に、ストッキングを破損することなく、素早く履くことができ、かつ爪を痛めることなく使用できるストッキング用手袋を提供する。【解決手段】  ストッキングを履く時に使用する手袋であって、長さを指先から甲部中央付近までとし、後端部から指先方向にスリット部を設けてなることを特徴とする。【選択図】  図１
2006233397.tif 000002
【特許請求の範囲】
【請求項１】
ストッキングを履く時に使用する手袋であって、長さを指先から甲部中央付近までとし、後端部から指先方向にスリット部を設けてなることを特徴とするストッキング用手袋。
【請求項２】
ストッキングを履く時に使用する手袋であって、長さを指先から甲部中央付近までとし、後端部に伸縮自在な伸縮部を設けてなることを特徴とするストッキング用手袋。
【請求項３】
指先を覆う指先部を２つに分割してなることを特徴とする請求項１又は２記載のストッキング用手袋。
【請求項４】
少なくとも指先部裏側にスベリ止め部を設けてなることを特徴とする請求項１、２又は３記載のストッキング用手袋。
【請求項５】
素材が不織布であることを特徴とする請求項１、２、３又は４記載のストッキング用手袋。
【発明の詳細な説明】
【技術分野】
【０００１】  本発明は、ストッキングを履く時に、特に爪の長い女性の場合、爪が引っ掛かって破損するのを防止するストッキング用手袋に関するものである。
【背景技術】
【０００２】  従来の技術においては、例えば、網状の素材で形成した手袋の指先部位に、少なくとも手指の爪先部分を覆うことが可能な形状のクッション材を備える。前記クッション材には、例えばスポンジ素材や軟質樹脂素材などを使用するものがある。（特許文献１参照）【０００３】  また、別の従来技術として、手袋本体における甲部布の手首側に形成される開口部の一側縁に係止突片を取付け、当該係止突片の内側に第一の面ファスナーを付設すると共に、甲部布の表面に前記第一の面ファスナーに対応する第二の面ファスナーを付設し、手袋本体を手に装着してから前記係止突片を、甲部布の表面に、前記一対の面ファスナーによって係着させるようになしたスポーツ用手袋において、前記甲部布の表面に付設した第二の面ファスナーと甲部布の間に適当大きさの独立したポケット部を形成し、且つ該ポケット部内に磁力線放射体または遠赤外線放射体を出し入れできるスリットを前記第二の面ファスナーの表面に形成したことを特徴とするスポーツ用手袋がある。（特許文献２参照）
【特許文献１】  実開平５−５８０６号公報
【特許文献２】  登録実用新案第３００８２４１号
【発明の開示】
【発明が解決しようとする課題】
【０００４】  上記前者においては、洗い物用の手袋であり、クッション材を使用してなるものであり、目的・機能が異なるものである。【０００５】  上記後者においては、スポーツ用の手袋で、ファスナーを設けると共に、磁力線または遠赤外線放射体を設けてなるもので、これもまた目的・機能が異なるものである。【０００６】  本発明は、このような従来の構成が有する問題を解決しようとするものであり、ストッキング専用の手袋であり、爪の長い女性がストッキングを履く時、使用するもので、長さが短く、速手に装着することができると共に、ストッキングを破損することなく、素早く履くことができ、かつ爪を痛めることなく使用できるストッキング用手袋を提供することを目的とする。
【課題を解決するための手段】
【０００７】  そして、本発明は上記目的を達成するために、ストッキングを履く時に使用する手袋であって、長さを指先から甲部中央付近までとし、後端部から指先方向にスリット部を設けてなること。ストッキングを履く時に使用する手袋であって、長さを指先から甲部中央付近までとし、後端部に伸縮自在な伸縮部を設けてなること。また、指先を覆う指先部を２つに分割してなること。さらに、少なくとも指先部裏側にスベリ止め部を設けてなること。その上、素材が不織布であることを特徴とする。
【発明の効果】
【０００８】  上述したように、本発明のストッキング用手袋によれば、以下の効果を有する。
１）、長さを短くすることにより、速手袋を装着できる。
２）、スリットを設けることにより、一層速く手袋を装着できる。
３）、伸縮部を設けることにより、ストッキングを履く時に手袋が脱げることがない。
４）、スベリ止め部を設けることにより、一層速く履くことができる。
５）、不織布（多少のスベリ止め効果有り）を使用することにより、安価に製作できると共に、スベリ止め効果がある。
【発明を実施するための最良の形態】
【実施例】
【０００９】  以下、本発明の実施の形態を図面を基に詳細に説明する。
ストッキング用手袋１は、ストッキングを履く時に使用する手袋であって、不織布により加工され、長さＨを指先から甲部中央付近までとし、５本指各々に指先部２−−−を形成すると共に、後端部中央付近から指先方向に逆Ｖ字形のスリット３を設けてある。【００１０】  また、ストッキング用手袋２１は指先を覆う指先部２２を２つに分割（親指とその他）すると共に、後端部に伸縮自在なゴムひも等による伸縮部４を設けてある。【００１１】  上記ストッキング用手袋１の使用例にについて説明する。
スリット３を開いた状態で、手Ｔの指Ｙを指先部２−−−に素早く入れて使用することができる。
また、上記ストッキング用手袋２１は、伸縮部４を広げて手Ｔ１の指Ｙ１を指先部２２・２２により素早く入れることができる。【００１２】  つぎに、ストッキング用手袋３１は、指先部３２の裏側に粘着剤等によるスベリ止め部５を設けてある。
このストッキング用手袋３１は、特に爪が長い場合に有効で、握力がない女性でもストッキングを軽く掴んで履くことができる。【００１３】  上記各実施例において、ストッキング用手袋は左右兼用が望ましく、大きさは特に限定しない。
素材も、同様な機能を有するものであれば、他の素材も一考である。
【図面の簡単な説明】
【００１４】
【図１】  本発明の第１実施形態を示すストッキング用手袋の斜視図。
【図２】  本発明の第２実施形態を示すストッキング用手袋の斜視図。
【図３】  本発明の第３実施形態を示すストッキング用手袋の要部の正面図。
【符号の説明】
【００１５】１−−−ストッキング用手袋
２−−−指先部
３−−−スリット
４−−−伸縮部
５−−−スベリ止め部
【図１】
2006233397.tif 000003
【図２】
2006233397.tif 000004
【図３】
2006233397.tif 000005
(57)【要約】【課題】引き戸の引き手用凹所に着脱可能に取り付けられた取っ手部品の握り部を握っている手が引き戸を開いた時に挟まれてしまうのを防ぐことができ、しかも、それを特別な工作をすることなく取っ手部品を取り付けるだけで実現することができる、引き戸用の取っ手部品を提供する。【解決手段】取っ手部品３に、握り部６と、該握り部６よりも戸板１の開き方向に突出し、握り部６を握った手を保護する保護用突出部８とが備えられている。【選択図】      図１
2006233497.tif 000002
【特許請求の範囲】
【請求項１】
引き戸の戸板の引き手用凹所に着脱可能に取り付けられる取っ手部品であって、
握り部と、
該握り部よりも戸板の開き方向に突出し、握り部を握った手を保護する保護用突出部と
が備えられていることを特徴とする引き戸用の取っ手部品。
【発明の詳細な説明】
【技術分野】
【０００１】
本発明は、引き戸用の取っ手部品に関する。
【背景技術】
【０００２】
引き手用の凹所が備えられた引き戸は、人によって、引き戸の開閉操作を行いにくく感じる場合があり、そのような場合のために、引き手用の凹所を利用して着脱自在に取り付けることのできる取っ手部品が用意されているとありがたい。
【発明の開示】
【発明が解決しようとする課題】
【０００３】
しかしながら、引き手用の凹所が設けられた引き戸では、引き手用の凹所に掛けた指先が引き戸を開いた時に挟まれないよう、引き戸が一定以上に開かないようになされているが、その一方で開口部の開き幅寸法をできるだけ大きくしたいという要請から、指先が挟まれない程度においてできるだけ大きく開くことができるようになされているのが一般的である。
【０００４】
そのため、そのような引き戸の引き手用凹所に取っ手部品を取り付けると、取っ手部品の握り部を握っている手が、引き戸を開いた時に挟まれてしまうという問題がある。
【０００５】
本発明は、上記のような問題点に鑑み、引き戸の引き手用凹所に着脱可能に取り付けられた取っ手部品の握り部を握っている手が引き戸を開いた時に挟まれてしまうのを防ぐことができ、しかも、それを特別な工作をすることなく取っ手部品を取り付けるだけで実現することができる、引き戸用の取っ手部品を提供することを課題とする。
【課題を解決するための手段】
【０００６】
上記の課題は、引き戸の戸板の引き手用凹所に着脱可能に取り付けられる取っ手部品であって、
握り部と、
該握り部よりも戸板の開き方向に突出し、握り部を握った手を保護する保護用突出部と
が備えられていることを特徴とする引き戸用の取っ手部品によって解決される。
【０００７】
この取っ手部品では、これを引き戸の戸板の引き手用凹所に取り付けた状態で引き戸を開いた時、保護用突出部が当たりとなって、握り部を握っている手が挟まれるのを防ぐことができる。
【０００８】
しかも、取っ手部品に備えられている保護用突出部で手が挟まれないようにしたものであるから、取っ手部品を取り付けるに際して、手が挟まれないようにする特別の工作をする必要がなく、取っ手部品を取り付けるだけでそれを実現することができる。
【発明の効果】
【０００９】
本発明は、以上のとおりのものであるから、引き戸の引き手用凹所に着脱可能に取り付けられた取っ手部品の握り部を握っている手が引き戸を開いた時に挟まれてしまうのを防ぐことができ、しかも、それを特別な工作をすることなく取っ手部品を取り付けるだけで実現することができる。
【発明を実施するための最良の形態】
【００１０】
次に、本発明の実施最良形態を図面に基づいて説明する。
【００１１】
図１及び図２に示す実施形態は片引き戸についてのもので、１は引き戸の戸板、２は引き手用の凹所、３は取っ手部品であり、引き手用の凹所２は、図４に示すように、健常者でも車イス使用者でも手を掛けることができるように、低所まで上下方向に延ばされた溝形の連続引き手からなっている。
【００１２】
そして、戸板１に取っ手部品が取り付けられていない状態では、戸板１を、図３（イ）に示すように閉じた状態から、図３（ロ）に示すように戸板１を完全に開いた状態にすると、引き手用凹所２は、掛けた指先が挟まれない範囲で、開口部４の側枠５に可及的に接近した状態となって、開口部４ができるだけ大きく開くようにされている。
【００１３】
取っ手部品３は、上下方向を向く握り部６と、握り部６の上下両端部に連接され、引き手用の凹所２に取り付けられる取付け用基部７，７と、同じく握り部６の上下両端部に連接され、握り部６よりも戸板１の開き方向に突出して握り部６を握った手を保護する保護用突出部８，８とを備えており、取付け基部７，７には磁石が備えられ、引き手用凹所２内は磁性体からなって、取付け基部７，７を引き手用凹所２内の所望の高さ位置に嵌め込むことによって、磁力の作用で吸着して、着脱可能に取り付けることができるようになされている。
【００１４】
なお、引き手用凹所２への取付け構造に制限はなく、取っ手部品３を引き手用凹所２に着脱可能に取り付けることができる各種態様の取付け構造が採用されてよい。
【００１５】
上記の取っ手部品３では、図４（イ）に示すように、取っ手部品３を例えば車椅子使用者にとって使い良い低所位置において取り付け、取っ手部品３の握り部６を手で握って開くと、図４（ロ）及び図３（ハ）に示すように、取っ手部品３の保護用突出部８，８が当たりとなって開口部４の側枠５に当接し、握り部６を握っている手が握り部６と側枠５との間に挟まれてしまうのが防がれ、戸板１に取り付けた取っ手部品３を安全に使用することができる。
【００１６】
しかも、取っ手部品３に備えられている保護用突出部８，８で手が挟まれないようにしたものであるから、取っ手部品３を取り付けるに際して、手が挟まれないようにする特別の工作、例えば戸当たり９を交換したり、戸当たり９に追加の戸当たりを取り付けたりする必要がなく、取っ手部品３を取り付けるだけで容易にそれを実現することができる。
【００１７】
以上に、本発明の実施形態を示したが、本発明はこれに限られるものではなく、発明思想を逸脱しない範囲で各種の変更が可能である。例えば、上記の実施形態では、引き手用凹所２が上下方向に低所まで延びる連続引き手からなる場合を示したが、健常者を対象とする高さ位置にのみ引き手用凹所が設けられたものなどであってもよいし、引き手用凹所２の形態に制限はない。また、上記の実施形態では、引き戸が片引き戸である場合を示したが、引分け戸や、引違い戸、３枚建の引き戸、４枚建の引き戸などであってもよい。
【図面の簡単な説明】
【００１８】
【図１】実施形態を示すもので、図（イ）は取っ手部品と戸板を分離状態にして示す断面平面図、図（ロ）は戸板に取っ手部品を取り付けた状態の断面平面図である。
【図２】図（イ）は取っ手部品が取り付けられた戸板の斜視図、図（ロ）は取っ手の拡大斜視図である。
【図３】図（イ）〜図（ハ）はそれぞれ使用状態を示す断面平面図である。
【図４】図（イ）及び図（ロ）はそれぞれ使用状態を示す正面図である。
【符号の説明】
【００１９】
１…戸板
２…引き手用凹所
３…取っ手部品
６…握り部
８…保護用突出部
【図１】
2006233497.tif 000003
【図２】
2006233497.tif 000004
【図３】
2006233497.tif 000005
【図４】
2006233497.tif 000006
(57)【要約】【課題】地球温暖化に対する防止策の一つとして、夏場の事務所などの空調設備における温度設定を以前より高くすることで、省エネルギーが遂行される中においても顧客の対応窓口などの業務に当たる者は、身だしなみとしてノーネクタイには出来ない。【解決手段】簡易ネクタイを、シャツの第１ボタン穴と第１ボタンの間につけ襟首を広げるため装着した状態においても締めつけが緩和され、襟元からの通気ができる。材料の布により生地の硬さや色・絵柄が選択できる。【選択図】図１
2006233402.tif 000002
【特許請求の範囲】
【請求項１】
表生地と裏生地の間に芯材料を入れることで形状保持しする構造とし、シャツ正面側の襟部に対して襟の左右にボタンとボタン穴やその他の取付部材等で円弧形状に取り付けするようにしたことを特徴とする簡易ネクタイ。
【請求項２】
請求項１記載の簡易ネクタイ片側に、シャツ襟端の裏側から挟み込む部分を有し、シャツの第１ボタン穴と第１ボタンの間につけ襟首を広げるためネクタイを装着した状態においても締めつけが緩和され、襟元からの通気ができる簡易ネクタイ。
【請求項３】
請求項１〜２記載の簡易ネクタイの装着用シャツとして、シャツ側に装着用ボタンと落下防止ループを有する又は、簡易ネクタイの取付部材と相互に掛合する相手方部材を設けたことを特徴とする簡易ネクタイ用シャツ。
【発明の詳細な説明】
【技術分野】
【０００１】  本発明は、簡易取り付けネクタイ及びそれ用のシャツに関するものである。
【背景技術】
【０００２】  従来のネクタイは、明治時代に日本に入り棒状の布を首に巻き正面で結ぶ基本的な形態は今日に於いても継続されていますが、生活の変化により簡易ネクタイ的な襟飾りの施したものもある（例えば、意匠文献１・意匠文献２参照。）また、簡易取り付けに配慮しているものもある（例えば、特許文献１参照。）。【０００３】
【意匠文献１】
意匠登録  昭５９−６３０５６９意匠広報
【意匠文献２】
意匠登録  昭６２−６９６６４０意匠広報【特許文献１】特許公開  ２００３−３１３７１３特許広報
【発明の開示】
【発明が解決しようとする課題】
【０００４】  以上に述べた従来のネクタイでは、ネクタイを装着した状態においてシャツの襟部を締めつけていた。【０００５】  締めつけによると思われる弊害として、肩こり・目の疲れや夏場における襟元の通気不足による汗の放出などです。【０００６】  本発明は、このような従来のネクタイが有していた問題を解決しようとするものであり、ネクタイ装着した状態においても締めつけによる弊害をなくし、健康への配慮とおしゃれや空調設備の省エネルギー対策の促進することを目的とするものである。
【課題を解決するための手段】
【０００７】  そして、本発明は上記目的を達成するためにシャツの第１ボタンと第１ボタンホールの間に装着して襟首を広げる状態にする簡易取り付け式の簡易ネクタイとし材料の布により生地の硬さや色・絵柄が選択でき装着方法のバリエーションを考えると新たな簡易ネクタイ用シャツと簡易ネクタイの組み合せである。
【発明の効果】
【０００８】  上述したように本発明の簡易ネクタイは、ネクタイを装着した状態においても締めつけが緩和され、襟元からの通気ができ使用者に快適性とおしゃれの両方が提供できる。
【発明を実施するための最良の形態】
【０００９】  以下、本発明の実施の形態を図１〜図５に基づいて説明する。【００１０】  図において、１は簡易ネクタイ本体で、表生地と裏生地の間に形状保持用の芯部材２が入り一般的なシャツ６に装着する場合は、挟み込み部３を襟部左の内側より入れ簡易ネクタイの取り付けボタン４により簡易ネクタイのボタン穴５とシャツの第１ボタン穴８を通してとめ襟部右側は、簡易ネクタイのボタン穴５の他方にシャツの第１ボタン７でとめることで簡易ネクタイの装着をする。【００１１】  また、簡易ネクタイ用シャツ９に簡易ネクタイ本体１を装着する場合は、シャツ側の数カ所ある装着用ボタン雌１２と簡易ネクタイ側の装着用ボタン雄１１により取り付け位置を変更することで締めつけの調整が可能であり片側を止めない場合は、落下防止のループ１１に対しズボンのベルトを通す様にすれば、完全に緩めた状態でも装着きる。【００１２】  或は、装着用ボタン雄１１と装着用ボタン雌１２に代わる取付部材及び相手方部材としてテープ面に多数の掛合要素を形成したマジックテープ（登録商標）で構成してもよい。
【産業上の利用可能性】
【００１３】  学校の制服・企業のユニホームして、広くは一般サラリーマンや老人の冠婚葬祭用の簡易ネクタイとして広く利用されると特に、夏場における空調設備の温度設定が引き上げられ省エネルギーに寄与し環境対策の促進が見込めます。
【図面の簡単な説明】
【００１４】
【図１】実際に簡易ネクタイをした場合の図である。
【図２】正面から見た簡易ネクタイを示した図である。
【図３】背面から見た簡易ネクタイ図で、一部に部分断面を示している。
【図４】挟み込み部の着装を示した図である。
【図５】簡易ネクタイ用シャツの襟部を示した図である。
【符号の説明】
【００１５】    １  簡易ネクタイ本体
２  形状保持用の芯部材
３  挟み込む部
４  簡易ネクタイの取り付けボタン
５  簡易ネクタイのボタン穴
６  シャツ
７  シャツの第１ボタン
８  シャツの第１ボタン穴
９  簡易ネクタイ用シャツ
１０  ループ
１１  装着用ボタン雄（スナップボタン）
１２  装着用ボタン雌（スナップボタン）
【図１】
2006233402.tif 000003
【図２】
2006233402.tif 000004
【図３】
2006233402.tif 000005
【図４】
2006233402.tif 000006
【図５】
2006233402.tif 000007